(57)【要約】【課題】  時刻信号を含む標準時刻電波を受信し、標準時刻に基づいて時計手段の現在時刻を修正することができ、さらには標準時刻電波を安定して受信することができるプログラムタイマーを提供する。【解決手段】  電波受信ユニット３００は、矩形状に形成された受信ユニット台３０３に受信ユニット保持部３０２が着脱自在に取り付けられ、受信ユニット保持部３０２の両端間に函体の受信ユニット本体部３０１が回動自在に保持されるように構成され、プログラムタイマー本体１００は、電波受信ユニット３００で受信した標準時刻電波に基づいて時計手段１３５，２４０の現在時刻を修正する。【選択図】図１
2006329957.tif 000002
【特許請求の範囲】
【請求項１】
標準時刻信号を含む標準時刻電波を受信する電波受信手段を備える電波受信ユニットと、
現在時刻を計時する時計手段、所望の時刻に報知音声を発生させるまたは外部機器を制御するためのプログラムを設定するプログラム設定手段、設定されたプログラムを記憶するプログラム記憶手段、現在時刻がプログラム記憶手段に記憶しているプログラムの設定時刻と一致したときに報知音声を発生させるまたは外部機器を制御する制御出力を出力する出力制御手段、標準時刻電波から生成された標準時刻に基づいて時計手段の現在時刻を修正する指示を時刻修正手段に与える電波受信制御手段を備えるプログラムタイマー本体、設定器とを備えて、
プログラムタイマー本体は、設定器に電気的に接続するとともに、電波受信ユニットにケーブルを介して電気的に接続し、
電波受信ユニットは、少なくとも電波受信手段を実装した受信ユニット基板を収納する受信ユニット本体部と、受信ユニット本体部を回動自在に保持する保持構造を備えた受信ユニット保持部と、受信ユニット保持部が取り付けられて造営物に固定される受信ユニット台とから構成されることを特徴とするプログラムタイマー。
【請求項２】
前記受信ユニット保持部は、歯車状の凹凸部を内周に形成した円環状のリング台と、リング台を保持するためのリング台用ガイドとを備え、前記受信ユニット本体部は、リング台の内側に挿入される軸部と、軸部の外周に設けられてリング台の凹凸部の凹形状に弾性的に係合する突部を形成した接続リングとを備えることを特徴とする請求項１記載のプログラムタイマー。
【請求項３】
前記リング台用ガイドは、前記受信ユニット本体部の回動軸と同心に形成された円弧状の回転規制溝を設け、前記接続リングは、回転規制溝に係合する突部を備えることを特徴とする請求項２記載のプログラムタイマー。
【請求項４】
前記受信ユニット本体部は、回動軸と同心に形成された歯車状の凹凸部を備え、前記受信ユニット保持部は、受信ユニット本体部の凹凸部の凹形状に弾性的に係合する突部を形成した受信ユニット固定レバーと、受信ユニット固定レバーをスライド自在に保持する固定レバー用ガイドとを備えることを特徴とする請求項２または３記載のプログラムタイマー。
【請求項５】
前記受信ユニット台と前記受信ユニット保持部とは、前記プログラムタイマー本体と前記電波受信ユニットとを電気的に接続するケーブルが通過可能な開部を形成されることを特徴とする請求項１乃至４いずれか記載のプログラムタイマー。
【請求項６】
前記受信ユニット台と前記受信ユニット保持部とは互いに係合する係合部を各々備え、前記受信ユニット保持部は、前記ケーブルが通過可能な開部を形成されたユニット着脱レバーと、ユニット着脱レバーをスライド自在に保持する着脱レバー用ガイドとを備え、ユニット着脱レバーをスライド操作することで、受信ユニット台から受信ユニット保持部の着脱が可能になることを特徴とする請求項５記載のプログラムタイマー。
【発明の詳細な説明】
【技術分野】
【０００１】
本発明は、学校、塾、公共施設、事務所、工場などにおいて、希望する時刻にチャイム音、メロディー、アナウンス等の報知音声の鳴動、外部機器の制御を行うプログラムタイマーに関するものである。
【背景技術】
【０００２】
従来、現在時刻を計時する手段と、現在時刻が記憶手段に記憶しているプログラムの設定時刻と一致したときに報知音を発生させたり、外部機器を制御するプログラムタイマーがあり、報知音の発生用プログラムや外部機器の制御用プログラムを設定する設定器をタイマー本体に着脱自在に取り付けることで、設定器をタイマー本体から外してプログラム設定を行うことができ、設定操作を簡単にしている。（例えば、特許文献１参照）
【特許文献１】特開平６−２８９１５８号公報
【発明の開示】
【発明が解決しようとする課題】
【０００３】
しかしながら、上記従来のプログラムタイマーは、標準時刻信号を含む標準時刻電波を受信し、標準時刻に基づいて時計手段の現在時刻を修正することができない。さらに、標準時刻電波を安定して受信するためには、電波受信手段を適切な方向に向ける必要がある。
【０００４】
本発明は、上記事由に鑑みてなされたものであり、請求項１の発明は、時刻信号を含む標準時刻電波を受信し、標準時刻に基づいて時計手段の現在時刻を修正することができ、さらには標準時刻電波を安定して受信することができるプログラムタイマーを提供することを目的とする。
【０００５】
請求項２の発明は、受信ユニット保持部に対して受信ユニット本体部を節度ある操作感で回動することができるプログラムタイマーを提供することを目的とする。
【０００６】
請求項３の発明は、受信ユニット本体部が回動する角度を規制してケーブルの断線を防止することができるプログラムタイマーを提供することを目的とする。
【０００７】
請求項４記載の発明は、標準時刻電波の受信に最適な角度に電波受信手段を容易に固定することがすることができるプログラムタイマーを提供することを目的とする。
【０００８】
請求項５記載の発明は、電波受信ユニットの任意の位置からケーブルを引き出すことができ、電波受信ユニットを水平面、壁面に関わらず取り付けることができるプログラムタイマーを提供することを目的とする。
【０００９】
請求項６記載の発明は、受信ユニット本体部を保持した受信ユニット保持部を受信ユニット台から容易に着脱でき、標準時刻電波を受信可能な位置を容易に確認することができるプログラムタイマーを提供することを目的とする。
【課題を解決するための手段】
【００１０】
請求項１の発明は、標準時刻信号を含む標準時刻電波を受信する電波受信手段を備える電波受信ユニットと、現在時刻を計時する時計手段、所望の時刻に報知音声を発生させるまたは外部機器を制御するためのプログラムを設定するプログラム設定手段、設定されたプログラムを記憶するプログラム記憶手段、現在時刻がプログラム記憶手段に記憶しているプログラムの設定時刻と一致したときに報知音声を発生させるまたは外部機器を制御する制御出力を出力する出力制御手段、標準時刻電波から生成された標準時刻に基づいて時計手段の現在時刻を修正する指示を時刻修正手段に与える電波受信制御手段を備えるプログラムタイマー本体、設定器とを備えて、プログラムタイマー本体は、設定器に電気的に接続するとともに、電波受信ユニットにケーブルを介して電気的に接続し、電波受信ユニットは、少なくとも電波受信手段を実装した受信ユニット基板を収納する受信ユニット本体部と、受信ユニット本体部を回動自在に保持する保持構造を備えた受信ユニット保持部と、受信ユニット保持部が取り付けられて造営物に固定される受信ユニット台とから構成されることを特徴とする。
【００１１】
この発明によれば、時刻信号を含む標準時刻電波を受信し、標準時刻に基づいて時計手段の現在時刻を修正することができ、さらには電波受信手段を備える受信ユニット本体部を回動させることで電波受信手段の方向、角度を変えることができて、標準時刻電波を安定して受信することができる。
【００１２】
請求項２の発明は、請求項１において、前記受信ユニット保持部は、歯車状の凹凸部を内周に形成した円環状のリング台と、リング台を保持するためのリング台用ガイドとを備え、前記受信ユニット本体部は、リング台の内側に挿入される軸部と、軸部の外周に設けられてリング台の凹凸部の凹形状に弾性的に係合する突部を形成した接続リングとを備えることを特徴とする。
【００１３】
この発明によれば、受信ユニット保持部に対して受信ユニット本体部を節度ある操作感で回動することができる。
【００１４】
請求項３の発明は、請求項２において、前記リング台用ガイドは、前記受信ユニット本体部の回動軸と同心に形成された円弧状の回転規制溝を設け、前記接続リングは、回転規制溝に係合する突部を備えることを特徴とする。
【００１５】
この発明によれば、受信ユニット本体部が回動する角度を規制してケーブルの断線を防止することができる。
【００１６】
請求項４の発明は、請求項２または３において、前記受信ユニット本体部は、回動軸と同心に形成された歯車状の凹凸部を備え、前記受信ユニット保持部は、受信ユニット本体部の凹凸部の凹形状に弾性的に係合する突部を形成した受信ユニット固定レバーと、受信ユニット固定レバーをスライド自在に保持する固定レバー用ガイドとを備えることを特徴とする。
【００１７】
この発明によれば、標準時刻電波の受信に最適な角度に電波受信手段を容易に固定することがすることができる。
【００１８】
請求項５の発明は、請求項１乃至４いずれかにおいて、前記受信ユニット台と前記受信ユニット保持部とは、前記プログラムタイマー本体と前記電波受信ユニットとを電気的に接続するケーブルが通過可能な開部を形成されることを特徴とする。
【００１９】
この発明によれば、電波受信ユニットの任意の位置からケーブルを引き出すことができ、電波受信ユニットを水平面、壁面に関わらず取り付けることができる。
【００２０】
請求項６の発明は、請求項５において、前記受信ユニット台と前記受信ユニット保持部とは互いに係合する係合部を各々備え、前記受信ユニット保持部は、前記ケーブルが通過可能な開部を形成されたユニット着脱レバーと、ユニット着脱レバーをスライド自在に保持する着脱レバー用ガイドとを備え、ユニット着脱レバーをスライド操作することで、受信ユニット台から受信ユニット保持部の着脱が可能になることを特徴とする。
【００２１】
この発明によれば、受信ユニット本体部を保持した受信ユニット保持部を受信ユニット台から容易に着脱でき、標準時刻電波を受信可能な位置を容易に確認することができる。
【発明の効果】
【００２２】
以上説明したように、本発明では、時刻信号を含む標準時刻電波を受信し、標準時刻に基づいて時計手段の現在時刻を修正することができ、さらには電波受信手段を備える受信ユニット本体部を回動させることで電波受信手段の方向、角度を変えることができて、標準時刻電波を安定して受信することができるという効果がある。
【発明を実施するための最良の形態】
【００２３】
以下、本発明の実施の形態を図面に基づいて説明する。
【００２４】
（実施形態）
本発明の実施形態のプログラムタイマーは、図１，図２に示すように、プログラムタイマー本体１００と、設定器２００と、電波受信ユニット３００とから構成され、プログラムタイマー本体１００は壁面などに取り付けられ、設定器２００はプログラムタイマー本体１００に着脱自在に取り付けられ、電波受信ユニット３００はケーブルＬを介してプログラムタイマー本体１００に電気的に接続される。そして、プログラムタイマー本体１００は、設定器２００で設定したプログラムや、外部に設けた人体検知センサーまたは呼出スイッチ等からの外部割込入力に応じて、報知音声の出力制御や外部機器の動作制御を行い、さらにプログラムタイマー本体１００、設定器２００は、標準時刻電波を受信する電波受信ユニット３００からの信号に基づいて現在時刻を修正する。また、図３は設定器２００をプログラムタイマー本体１００から外した状態である。
【００２５】
プログラムタイマー本体１００は、アナログ時計部１０１を前面上部に備え、その下方の右側にチャイム音などの報知音声を発生するスピーカを内蔵するスピーカ部１０２を設け、左側に設定器２００を収納する収納部１０３を形成している。また、外部機器を制御する制御出力を２回路（夫々「回路１」、「回路２」と呼ぶ）備えており、収納部１０３の下方のスイッチ１０４ａ，１０４ｂは、夫々の回路の制御出力を手動で切り換える制御出力手動操作スイッチであり、スイッチ１０４ｃは、アナログ時計部１０１を手動で調節するためのアナログ時計調整スイッチである。さらに、制御出力手動操作スイッチ１０４ａ，１０４ｂの上部には、それぞれのスイッチの操作による制御出力の状態を表示する発光ダイオード等からなる制御出力状態表示器１０５ａ，１０５ｂを設けている。
【００２６】
プログラムタイマー本体１００のハウジング１０６は合成樹脂製であり、壁面への取付時に壁面側に臨むボディ１０６ａと、アナログ時計部１０１が取り付けられた上カバー１０６ｂと、収納部１０３及びスピーカの音出孔１０７が形成された下カバー１０６ｃとで構成されている。また、上カバー１０６ｂはボディ１０６ａに対して開閉自在になっている。収納部１０３には、収納された設定器２００の前面を閉塞する開閉自在な設定器カバー１０８が取り付けられている。
【００２７】
設定器２００を収納する収納部１０３は、矩形状の収納凹部１０３ａが形成され、収納凹部１０３ａの開口縁の上下には設定器２００を着脱する場合に指が挿入される切欠き部１０３ｂ，１０３ｂを形成している。収納凹部１０３ａの底面中央には、プログラムタイマー本体１００を設定器２００に電気的に接続するためのコネクタ１０９を設け、コネクタ１０９の周りには矩形筒状のコネクタガイド１１０を突設して、設定器２００に設けられたコネクタをコネクタ１０９に導くようにしている。コネクタ１０９の両側には、設定器２００を収納する場合に所定位置に案内するガイドボス１１２，１１２を突設している。また、コネクタ１０９の上下には、設定器２００を機械的に保持する係止片１１１，１１１を突設している。係止片１１１の先端は係止爪１１１ａが内向きに形成されて、係止爪１１１ａの先端面の外周は曲成または面取りされている。
【００２８】
次に、図４は設定器２００の正面図である。設定器２００は矩形箱状に形成され、前面の上部右寄りに液晶ディスプレイからなる表示部２０１を設け、その下部に各種設定用スイッチ２０２（２０２ａ〜２０２ｓ）、録音用ジャック２０３を配置し、左側部にはスライド式のモード切換スイッチ２０４を配置している。
【００２９】
図４における表示部２０１の表示は、モード切換スイッチ２０４が通常（時刻表示）モードにおける表示であり、時／分を表示する略中央の時刻表示部２０１ａとその上部に設けられた曜日表示部２０１ｂとを備え、さらには標準時刻電波受信機能のため電波受信ユニット３００をプログラムタイマー本体１００に接続するので、受信ユニット接続状態表示部２０１ｃと電波強度表示部２０１ｄと受信完了表示部２０１ｅとを備えて、現在時刻（曜日、時、分、秒）、受信ユニット接続状態、電波強度、受信完了を表示している。また、この設定器２００の上下面には、設定器２００を収納部１０３から取り外す場合に切欠き部１０３ｂに露出して操作される取外し釦２０５を設けている。また、プログラムタイマー本体１００から取外された場合にも動作可能とするために、ニッケル・水素電池、リチウム電池、乾電池、太陽電池などを電源として備えている。
【００３０】
次に、電波受信ユニット３００は、受信ユニット本体部３０１、受信ユニット保持部３０２、受信ユニット台３０３とからなり、合成樹脂製の防雨構造であり、屋外に設置することも可能である。
【００３１】
受信ユニット本体部３０１は、上ケース３０４と下ケース３０５とにより外郭を形成し、ねじＳ２によって上ケース３０４と下ケース３０５とが組み立てられ、内部にはアンテナを組み込んだ受信ユニット基板３００ａが受信回路部として収納され（図６参照）、上ケース３０４側に露出するように、後述する電源状態表示手段３３５ｄとなる電源状態表示ＬＥＤ３１０と、後述する受信周波数表示手段３３５ｂとなる４０ＫＨｚ受信表示ＬＥＤ３０６ａ、６０ＫＨｚ受信表示ＬＥＤ３０６ｂと、後述する電界強度表示手段３３５ａとなる４つの電界強度表示ＬＥＤ３０７と、後述する時刻コード形成パルス信頼度表示手段３３５ｃとなる信頼度表示ＬＥＤ３０８とを備えている。さらに、ケーブルＬは、受信ユニット本体部３０１内部の受信回路部から一方の受信ユニット保持部３０２を通して電波受信ユニット３００の外部に引き出されており、プログラムタイマー本体１００のボディ１０６ａの上面に穿設した通線孔１１３を介してプログラムタイマー本体１００内の端子台に接続して、プログラムタイマー本体１００から電波受信ユニット３００に電源を供給するとともに、電波受信ユニット３００が受信した標準時刻電波から標準時刻の時刻コードを形成するパルスを生成して、時刻コード形成パルス、時刻コード形成パルス信頼度、電界強度を示す信号をプログラムタイマー本体１００に伝達する。
【００３２】
受信ユニット保持部３０２は、左ケース３０２ｌと右ケース３０２ｒとによりコの字状の外郭を形成し、ねじＳ１で左ケース３０２ｌと右ケース３０２ｒとが組み立てられる（図６参照）。
【００３３】
受信ユニット台３０３は矩形状に形成されて受信ユニット保持部３０２が着脱自在に取り付けられ、受信ユニット保持部３０２の両端間に函体の受信ユニット本体部３０１が回動自在に保持される。そして、受信ユニット台３０３を壁面又は天井などの造営物に取り付けた後、受信ユニット本体部３０１を保持した受信ユニット保持部３０２を受信ユニット台３０３に嵌め込むことにより電波受信ユニット３００を壁面又は天井等に取り付けることができる。
【００３４】
そして、電波受信ユニット３００はプログラムタイマー本体１００からケーブルＬを介して分離しており、電波受信ユニット３００単独で標準時刻電波を受信できる位置を確認でき、また、後述するプログラムタイマー本体１００の停電補償用電池を外部電源として使用できるように、プログラムタイマー本体１００の停電補償用電池に接続可能な外部電源接続手段を備えている。
【００３５】
次に、プログラムタイマーの概略構成について図２を用いて説明する。図２に示すプログラムタイマーは、プログラムタイマー本体１００と、設定器２００と、電波受信ユニット３００とで構成され、プログラムタイマー本体１００と設定器２００とは、コネクタ１４５，２２９を介して電気的に接続され、プログラムタイマー本体１００と電波受信ユニット３００とは端子台１４６，３４１間を接続したケーブルＬで電気的に接続される。
【００３６】
図２では、プログラムタイマー本体１００と電波受信ユニット３００に端子台１４６，３４１を各々設けて、端子台１４６，３４１に両端を接続したケーブルＬにて電気的接続を行うようにしているが、プログラムタイマー本体１００から直接ケーブルＬを引き出して電波受信ユニット３００の端子台３４１に接続して電気的接続を行うようにしたり、電波受信ユニット３００から直接ケーブルＬを引き出してプログラムタイマー本体１００の端子台１４６にケーブルＬを接続して電気的接続を行うようにしたり、プログラムタイマー本体１００から直接ケーブルＬを引き出して電波受信ユニット３００に直接ケーブルＬを引き込んで電気的接続を行うようにしてもよい。
【００３７】
プログラムタイマー本体１００は、制御出力手動操作スイッチ１０４ａ，１０４ｂ等の手動スイッチの操作を判定するスイッチ操作判定手段１３０と、外部に設けた人体検知センサーまたは呼出スイッチ等からの外部割込入力の有無を判定する外部割込入力判定手段１３１と、制御出力手動操作スイッチ１０４ａ，１０４ｂ等の手動スイッチの操作または上記外部割込入力の判定に応じた出力状態を選択するとともに選択した出力状態を表示する出力選択・表示手段１３２と、スイッチ操作判定手段１３０、外部割込入力判定手段１３１、設定器２００からの各出力に基づいて行なう内蔵スピーカー（スピーカ部１０２）、外部スピーカー、照明等の動作制御の判定や、スピーカから出力させるメロディ、チャイム音、アナウンス等の報知音声の選択等の判定を行う出力判定手段１３３と、出力判定手段１３３の判定結果を記憶する出力状態判定記憶手段１３４と、現在時刻を計時する時計手段１３５と、この出力判定手段１３３の判定結果及び時計手段１３５の計時出力に基づいて「回路１」の制御出力手段１３７、「回路２」の制御出力手段１３８、報知音声出力手段１３９、アナログ時計出力手段１４０（時計手段１３５とでアナログ時計部１０１を構成する）を制御する出力制御手段１３６とを基本構成として備えている。
【００３８】
また、プログラムタイマー本体１００の本体電源形成手段１４７は、交流電源入力手段１４３からの商用電源を入力としてプログラムタイマー本体１００の各手段に電源を供給するとともに設定器２００の設定器電源形成手段２４８、電波受信ユニット３００の電波受信ユニット電源形成手段３４０にも電源を供給する。
【００３９】
また、手動スイッチ操作表示手段１４１は、発光ダイオード等からなる制御出力状態表示器１０５ａ，１０５ｂを構成する。
【００４０】
さらに、電波受信ユニット３００からの信号の電圧を変換する信号電圧変換手段１４２と、電波受信ユニット３００からの時刻コード形成パルス信号を受けて時刻コード化する時刻コード化手段１２６と、時刻コード化手段１２６から得られる時刻コードに基づいて時刻に変換する時刻データ生成手段１２７と、電波受信ユニット３００からの電界強度及び電波信頼度の各信号に基づいて電波強度を判定して後述する設定器２００の電波強度表示手段２３５ａに電波強度を表示する表示制御手段を含む電波強度判定手段１２８と、時計手段１３５の現在時刻を修正する時刻修正手段１４８と、時刻コード化手段１２６や時刻データ生成手段１２７等の電波受信を制御し受信した標準時刻に基づいて時計手段１３５の現在時刻を修正する時刻修正指示を時刻修正手段１４８に与える電波受信制御手段１２９と、電波受信制御手段１２９の制御状態を記憶する電波受信動作制御状態記憶手段１４９とを備えている。
【００４１】
設定器２００は、報知数設定手段２３１ａ、報知音声信号番号設定手段２３１ｂ、再生・録音・編集操作手段２３１ｃを含みモード切換スイッチ２０４及び各種設定スイッチ２０２を用いて時計設定、プログラム設定・呼出、報知音声信号の再生・録音・編集を行なうプログラム設定手段２３０ａと、強制受信操作手段２３２ａ、受信確認操作手段２３２ｂを含み標準時刻電波受信時の電波受信処理を行なうプログラム設定手段２３０ｂと（以下、プログラム設定手段２３０ａ，２３０ｂを併せてプログラム設定手段２３０と称す）、プログラム設定手段２３０ａで設定されたプログラムを記憶するプログラム記憶手段２３４と、電波強度表示手段２３５ａ、受信完了表示手段２３５ｂ、受信ユニット接続状態表示手段２３５ｃを含んで時計・プログラム・電波受信状態等を表示する表示手段２３５と、プログラム設定手段２３０ａの設定状態及びプログラム記憶手段２３４の記憶内容を表示手段２３５に表示するための表示制御手段２３８と、各種設定スイッチで構成されて時間に関する各種設定を行なう時計設定手段２３９と、時刻を計時する時計手段２４０と、複数の報知音声信号と各報知音声信号に対応した報知音声信号番号とを記憶する報知音声信号記憶手段２４１と、報知音声制御手段２４２を通して報知音声信号記憶手段２４１に報知音声信号を入力する報知音声入力手段２４３と、報知音声制御手段２４２を通して報知音声信号記憶手段２４１から呼び出した報知音声信号を報知音声に変換して出力する報知音声確認手段２４４（設定器スピーカー部２１１）と、プログラム記憶手段２３４のプログラムと時計手段２４０で発生する時刻とに基づいて所定の動作制御、報知音声信号（メロディ、チャイム音、アナウンス等）の選択判断をするプログラム判断手段２４５と、プログラム判断手段２４５の判断結果及びプログラムタイマー本体１００の出力判定手段１３３の判定結果による制御や、モード切換スイッチ２０４の操作に応じて報知音声信号記憶手段２４１に記憶している報知音声信号の再生処理や、外部の報知音声アナログ信号をデジタル信号に変換して報知音声信号記憶手段２４１に記憶させる録音処理や、報知音声信号記憶手段２４１に記憶している報知音声信号の編集処理を制御する報知音声制御手段２４２と、時計手段２４０の現在時刻を修正する時刻修正手段２３３と、受信した標準時刻に基づいて時計手段２４０の現在時刻を修正する時刻修正指示を時刻修正手段２３３に与える電波受信制御手段２４６と、電波受信制御手段２４６の制御状態を記憶する電波受信制御記憶手段２４７と、設定器２００の各手段に電源を供給する設定器電源形成手段２４８とを基本的な機能構成として備えている。
【００４２】
電波受信ユニット３００は、標準時刻信号を含む標準時刻電波を受信する電波受信手段３３１と、異なる周波数の標準時刻電波の中から受信する標準時刻電波を選択する周波数選択手段３３２と、受信した電波から標準時刻の時刻コードを形成するパルスを含む時刻コード形成パルスを生成する時刻コード形成パルス生成手段３３３と、時刻コード形成パルスのパルス幅を判定して時刻コード形成パルスの信頼度を判定する時刻コード形成パルス信頼度判定手段３３４と、電界強度表示手段３３５ａと、電界強度表示手段３３５ａに電界強度を表示する制御手段を含み受信する標準時刻電波の電界強度を判定する電界強度判定手段３３６と、受信周波数識別信号生成手段３３７と、電源状態判定手段３３８と、受信周波数表示手段３３５ｂと、時刻コード形成パルス信頼度表示手段３３５ｃと、電源状態表示手段３３５ｄと、信号電圧変換手段３３９と、電波受信ユニット３００の各手段に電源を供給する受信ユニット電源形成手段３４０とを備えている。さらに、受信ユニット電源形成手段３４０には、外部から電源を供給される外部電源接続手段と、接続する外部電源を切り換える切換手段とを設けている。
【００４３】
図２の構成では、プログラムタイマー本体１００に時刻コード化手段１２６、時刻データ生成手段１２７、電波強度判定手段１２８を備えているが、設定器３００に時刻コード化手段、時刻データ生成手段、電波強度生成手段を備えてもよい。
【００４４】
さらに、プログラムタイマー本体１００の時計手段１３５と設定器２００の時計手段２４０との動作を同期させるために、プログラムタイマー本体１００は時計手段１３５の信号を基に同期信号を出力する同期出力発生手段１４４を備えて、設定器２００は同期出力発生手段１４４からの同期信号を判定する同期入力判定手段２４９と、時計手段２４０の信号を基に同期スタート信号を出力する同期スタート信号発生手段２３６と、設定器２００がプログラムタイマー本体１００に取り付けられたときにコネクタが接続されたことを判定するコネクタ接続判定手段２３７とを備えている。
【００４５】
次にプログラムタイマーの各種設定について説明する。設定器２００は、図４に示すように、表示部２０１における表示状態の切換や、報知音声信号記憶手段２４１に記憶した報知音声信号の発生プログラムを含む制御プログラムの設定や、その制御プログラムに基づいたプログラムの実行や、録音・再生・編集等のモードの切換を行うモード切換スイッチ２０４を備えている。
【００４６】
また、本実施形態のプログラムタイマーでは、外部機器を異なるプログラムで各々動作制御する２つの制御出力手段１３７，１３８を備えており、設定器２００では、それぞれの制御出力手段１３７，１３８の出力制御を行う制御プログラムの設定、確認、変更を行えるようにしている。また、以下の説明ではそれぞれの制御出力手段１３７，１３８による制御可能な２つの回路をそれぞれ「回路１」，「回路２」と呼ぶ。
【００４７】
モード切換スイッチ２０４は、表示器の左側方に設けられ、上下方向にスライド操作されるスライドスイッチ２０４ａを用いて構成され、スライドスイッチ２０４ａのスライド位置によって各種モードを選択している。このモード切換スイッチ２０４では、（１）時刻表示部２０１ａで時刻表示（曜日、時、分等を表示）を行わせる通常（時刻表示）モードと、（２）年月日または時分秒を表示させるとともに年月日または時分秒を設定・変更させる時計調整モードと、（３）「回路１」の週間プログラムを設定するために必要な表示とスイッチの操作を受け付ける「回路１」週間プログラム設定モードと、（４）「回路１」の週間プログラムの設定内容の確認・変更あるいは設定内容の取消を行うために必要な表示とスイッチの操作を受け付ける「回路１」週間プログラム呼出モードと、（５）「回路１」の休日プログラムを設定するために必要な表示とスイッチの操作を受け付ける「回路１」休日プログラム設定モードと、（６）「回路１」の休日プログラムの設定内容の確認・変更あるいは設定内容の取消を行うために必要な表示とスイッチの操作を受け付ける「回路１」休日プログラム呼出モードと、（７）「回路２」の週間プログラムを設定するために必要な表示とスイッチの操作を受け付ける「回路２」週間プログラム設定モードと、（８）「回路２」の週間プログラムの設定内容の確認・変更あるいは設定内容の取消を行うために必要な表示とスイッチの操作を受け付ける「回路２」週間プログラム呼出モードと、（９）「回路２」の休日プログラムを設定するために必要な表示とスイッチの操作を受け付ける「回路２」休日プログラム設定モードと、（１０）「回路２」の休日プログラムの設定内容の確認・変更あるいは設定内容の取消を行うために必要な表示とスイッチの操作を受け付ける「回路２」休日プログラム呼出モードと、（１１）デジタル信号で記憶した報知音声信号（チャイム音、メロディ、アナウンス）の再生、アナログ信号の報知音声信号をデジタル信号に変換して記憶する録音、デジタル信号で記憶した報知音声信号の編集、報知音声信号記憶手段２４１に記憶した複数の報知音声信号間の出力レベルの調整を行うために必要な表示とスイッチの操作を受け付ける再生・録音・編集モードとのモード切換を行う。
【００４８】
また、各種設定用スイッチ２０２は、上記（２）時計調整モードにおいて、年／時を設定・変更するための年／時設定スイッチと、月／分を設定・変更するための月／分設定スイッチと、日／秒を設定・変更するための日／秒設定スイッチと、年・月・日または時・分・秒を設定する設定スイッチとがスイッチ２０２ｎ〜２０２ｐ，２０２ｓに各々割り当てられている。
【００４９】
また、上記（３）「回路１」週間プログラム設定モード、（４）「回路１」週間プログラム呼出モード、（５）「回路１」休日プログラム設定モード、（６）「回路１」休日プログラム呼出モード、（７）「回路２」週間プログラム設定モード、（８）「回路２」週間プログラム呼出モード、（９）「回路２」休日プログラム設定モード、（１０）「回路２」休日プログラム呼出モードの各プログラムの設定時に、曜日設定を行う曜日設定スイッチがスイッチ２０２ａ〜２０２ｇに各々割り付けられ、これら曜日設定スイッチに並設して設けられて１回だけ休日プログラムを実行する場合に操作される一回実行スイッチがスイッチ２０２ｈに割り付けられ、設定されたプログラムを選択的に呼び出して表示部に表示させるための呼出スイッチがスイッチ２０２ｍに割り付けられ、報知音声信号番号（以下メロディ番号と称す）を設定するメロディ設定スイッチがスイッチ２０２ｑに割り付けられ、報知音声信号を繰返し報知する報知数を設定する報知数設定スイッチがスイッチ２０２ｒに割り付けられ、設定したプログラムを記憶させる場合に操作される設定スイッチがスイッチ２０２ｓに割り付けられ、設定したプログラムを消去する場合に操作される取消スイッチがスイッチ２０２ｉに割り付けられる。さらに、上記（２）時計調整モードと同様に、年／時設定スイッチ、月／分設定スイッチがスイッチ２０２ｎ，２０２ｏに各々割り付けられ、時計調整モードにおける日／秒設定スイッチ（スイッチ２０２ｐ）が、制御出力手段１３７，１３８を介して外部機器を動作させる時間を設定する出力時間設定スイッチとして割り付けられる。
【００５０】
また、モード切替スイッチ２０４の位置に関係なく、制御出力手段１３７，１３８を介して１０秒前から外部機器を動作させる場合に操作される１０秒前起動スイッチがスイッチ２０２ｋ，２０２ｌに各々割り付けられる。
【００５１】
さらに、本実施形態のプログラムタイマーは、モード切替スイッチ２０４の上記（１１）再生・録音・編集モードでは、再生モード設定スイッチがスイッチ２０２ａ（日曜日の曜日設定スイッチ）に割り付けられ、録音モード設定スイッチがスイッチ２０２ｂ（月曜日の曜日設定スイッチ）に割り付けられ、編集モード設定スイッチがスイッチ２０２ｃ（火曜日の曜日設定スイッチ）に割り付けられ、開始または一時停止スイッチがスイッチ２０２ｄ（水曜日の曜日設定スイッチ）に割り付けられ、停止スイッチがスイッチ２０２ｅ（木曜日の曜日設定スイッチ）に割り付けられ、残時間表示スイッチがスイッチ２０２ｆ（金曜日の曜日設定スイッチ）に割り付けられ、前消スイッチがスイッチ２０２ｇ（土曜日の曜日設定スイッチ）に割り付けられ、後消スイッチがスイッチ２０２ｈ（１回実行設定スイッチ）に割り付けられ、全消スイッチがスイッチ２０２ｉ（取消スイッチ）に割り付けられ、秒送りスイッチがスイッチ２０２ｎ（年／時設定スイッチ）に割り付けられる。また、設定器２００をプログラムタイマー本体１００に取り付けた状態ではレベル合わせスイッチがスイッチ２０２ｒ（報知数設定スイッチ）に割り付けられる。
【００５２】
そして、各種設定用スイッチ２０２ａ〜２０２ｓは、各モードにおいて各々の機能に割り付けられるのであるが、設定器２００をプログラムタイマー本体１００に取り付けた状態において、上記（１）通常（時刻表示）モードで、受信曜日確認スイッチがスイッチ２０２ａに割り付けられ、強制受信設定スイッチがスイッチ２０２ｂに割り付けられる。
【００５３】
また、スイッチ２０２ｍ〜スイッチ２０２ｒは、上下方向でシーソ動作が自在な押しボタンとこの押しボタンの操作でオン・オフされる２個のスイッチとで構成されて、プログラム設定手段２３０内では押しボタンの上側を押すと１ずつ加算され、逆に下側を押すと１ずつ減算されて、押しボタンを押し続けると連続的に加算あるいは減算され、その加算値、減算値に応じた処理を行なう。また、スイッチ２０２ａ〜２０２ｉは、押しボタンとスイッチとから構成される周知のプッシュスイッチである。これらのスイッチは、プリント基板に実装されている。
【００５４】
以下、標準時刻に基づいて時計手段１３５，２４０の現在時刻を修正する動作について説明する。
【００５５】
まず、日本標準時を高精度で伝える長波は、独立行政法人情報通信研究機構で運用している電波であり、独立行政法人情報通信研究機構では、標準電波と呼んでいるが、本発明の説明においては、時刻情報を含んだ電波であることを明確に表現するため、標準時刻電波と呼ぶ。
【００５６】
そして、時刻コード形成パルス生成手段３３３は、標準時刻電波から標準時刻の時刻コードを形成するパルスを含む時刻コード形成パルスを生成し、この時刻コード形成パルスは、信号電圧変換手段３３９、端子台３４１，１４６、信号電圧変換手段１４２を介して、プログラムタイマー本体１００の時刻コード化手段１２６に入力される。
【００５７】
時刻コード化手段１２６は、時刻コード形成パルスを標準時刻の時刻コードとし、時刻データ生成手段１２７は、この標準時刻の時刻コードから標準時刻を生成し、電波受信制御手段１２９は、生成された標準時刻に基づいて、時計手段１３５の現在時刻を修正する指示を時刻修正手段１４８に与え、時刻修正手段１４８はこの指示にしたがって時計手段１３５の現在時刻を修正する。
【００５８】
さらに、上記生成された標準時刻は、コネクタ１４５，２２９を介して設定器２００の電波受信制御手段２４６に入力され、電波受信制御手段２４６は、生成された標準時刻に基づいて、時計手段２４０の現在時刻を修正する指示を時刻修正手段２３３に与え、時刻修正手段２３３はこの指示にしたがって時計手段２４０の現在時刻を修正する。
【００５９】
また、時刻コード化手段１２６での時刻コード化状態、時刻データ生成手段１２７での時刻データ生成状態は、電波受信動作制御状態記憶手段１４９に記憶される。
【００６０】
上記現在時刻修正動作は、自動受信動作または強制受信操作によって行われ、自動受信動作時には、標準時刻電波を電波受信手段３３１で定期的に受信し、電波受信制御手段１２９は、電波受信動作制御状態記憶手段１４９に記憶されている時刻コード化状態が、生成された時刻コード形成パルスを標準時刻の時刻コードとする状態であれば、この時刻コードから生成された標準時刻に基づいて時計手段１３５の現在時刻を修正する指示を時刻修正手段１４８に与え、電波受信制御手段２４６も時計手段２４０の現在時刻を修正する指示を時刻修正手段２３３に与える。
【００６１】
また、強制受信時には、強制受信設定スイッチ２０２ｂを手動操作すると、標準時刻電波を電波受信手段３３１で強制的に受信する。そして、電波受信制御手段１２９は、時刻コード化手段１２６に、この強制受信によって生成された時刻コード形成パルスを標準時刻の時刻コードとする時刻コード化を試行させ、この時刻コードから生成された標準時刻に基づいて時計手段１３５の現在時刻を修正する指示を時刻修正手段１４８に与え、電波受信制御手段２４６も時計手段２４０の現在時刻を修正する指示を時刻修正手段２３３に与える。
【００６２】
上記標準時刻電波は、福島長波局（おおたかどや山）から４０ＫＨｚの周波数で、九州局（はがね山）から６０ＫＨｚの周波数で送信されている。この標準時刻電波は、長波局からの距離によって変わるとともにアンテナの設置場所（例えば、地形、建物など）や、天候や、電離層の状態の影響、および電力の鉄塔、高圧線、テレビやラジオの送信塔、電車の架線などからの電界あるいは磁界の影響を受けるとともに、航空機、電車、自動車などの運行によって遮断されたり、あるいは反射される。
【００６３】
このような標準時刻電波を電波受信手段３３１で受信する場合には、航空機、電車、自動車、工場、オフィスの電子機器等から発生する標準時刻電波の周波数に近い電波ノイズも同時に取り込むので、電波受信手段３３１における電気信号には、標準時刻電波による電気信号だけでなく、標準時刻電波の周波数に近い電波ノイズによる電気信号、一部欠けた電気信号などがあり、そのレベルも強い電気信号、弱い電気信号がある。
【００６４】
したがって、標準時刻電波を安定して受信するためには、電波受信ユニット３００を取り付ける場所に応じて、固定面に対する電波受信手段３３１（後述する図１７のバーアンテナ３５２）の方向（アンテナ方向）を最適に設定する必要がある。
【００６５】
そこで、本実施形態において、上記のように受信ユニット台３０３は矩形状に形成されて受信ユニット保持部３０２が着脱自在に取り付けられ、さらに受信ユニット保持部３０２の両端間に函体の受信ユニット本体部３０１が回動自在に保持されるように電波受信ユニット３００を構成しており、以下、電波受信ユニット３００の構成について詳述する。
【００６６】
受信ユニット台３０３は、図５に示すように矩形のプレート状に形成され、大孔と小孔とが連設されただるま孔３０３ａ，取付孔３０３ｇにねじ等を挿通させて壁面、天井等に固定される。また、前面の両側部には、長手方向に沿ってガイド３０３ｂが各々立設され、各ガイド３０３ｂの下端から外側に向かって係止部３０３ｃが形成されており、ガイド３０３ｂの中央よりやや下方からは、外側に延設された挟持片３０３ｆが形成されている。さらに、受信ユニット台３０３の上端後面側には、係止面３０３ｄが形成されている。
【００６７】
そして、図６に電波受信ユニット３００の分解斜視図、図７に側面からみた一部破段した断面、図８に下面から見た一部破段した断面、図９に上面から見た一部破段した断面を示す。
【００６８】
受信ユニット保持部３０２は、基部３０２ａと、基部３０２ａの上端から前方に突設した保持体３０２ｂ、基部３０２ａの下端から前方に突設した保持体３０２ｃからなり、側面から見た形状はコの字状に形成される。基部３０２ａの後面には開口３０２ｄが形成され、上面後端から下方向に係止部３０２ｅが突設される。
【００６９】
また、保持体３０２ｃの下面には矩形の挿通孔３０２ｆを穿設した矩形の凹部３０２ｇが形成され、凹部３０２ｇ内にはユニット着脱レバー３１１の操作片３１１ａが配置されて、操作片３１１ａの裏面には連結片３１１ｂの一端が接続されており、挿通孔３０２ｆを挿通した連結片３１１ｂの他端には係止片３１１ｃが形成されている。係止片３１１ｃは、後方に向かって延設され、その後端は上方に向かって曲成された係止部３１１ｄを具備する。また、係止片３１１の両側からは弾性片３１１ｅが各々延設され、弾性片３１１ｅの先端は、受信ユニット保持部３０２の内面に設けた凹部３０２ｉ内に嵌合している。
【００７０】
そして、挿通孔３０２ｆの径は連結片３１１ｂの径より大きく、通常は、連結片３１１ｂの後側が挿通孔３０２ｆの後端に係止しており、弾性片３１１ｅのばね力に抗って操作片３１１ａを前方にスライドさせて、係止片３１１ｃを前方にスライドさせた状態で、受信ユニット本体部３０１を保持した受信ユニット保持部３０２を受信ユニット台３０３に上方から嵌め込む（図１０参照）。受信ユニット保持部３０２の両側部後端からは、長手方向に沿って係合片３０２ｈが内側に延設されており、この係合片３０２ｈがガイド３０３ｂに係合した状態で受信ユニット保持部３０２を下方向に移動させる。そして、挟持片３０３ｆと受信ユニット台３０３との間に係合片３０２ｈが挟持されることで前後方向の位置決めが成され、さらに係合片３０２ｈの下端が係止部３０３ｃに係止し、且つ係止部３０２ｅが係止面３０３ｄに係止することで、受信ユニット台３０３に受信ユニット保持部３０２が取り付けられる。そして、操作片３１１ａを離せば、弾性片３１１ｅのばね力によってユニット着脱レバー３１１が後方にスライドし、係止部３１５ｄが受信ユニット台３０３の内面に係止する。逆に、受信ユニット保持部３０２を受信ユニット台３０３から外す場合は、操作片３１１ａを前方にスライドさせて、係止部３１５ｄと受信ユニット台３０３内面との係止状態を解除してから、受信ユニット保持部３０２を上方向に移動させる。また、連結片３１１ｂと挿通孔３０２ｆとでユニット着脱レバー３１１をスライド自在に保持する着脱レバー用ガイドを構成している。
【００７１】
上記のように、受信ユニット保持部３０２を受信ユニット台３０３に取り付けた状態で、受信ユニット本体部３０１の下面から引き出されたケーブルＬは、受信ユニット保持部３０２の保持体３０２ｃ内に引き込まれて後方に向かって配線される。そして、受信ユニット保持部３０２の下面後端には後方に開放した開部３０２ｊが形成され、開部３０２ｊに対向するユニット着脱レバー３１１の箇所にも後方に開放した開部３１１ｆが穿設されており、ケーブルＬは開部３０２ｊ，３１１ｆを挿通して、電波受信ユニット３００の下面からプログラムタイマー本体１００に配線される。
【００７２】
あるいは、図１１に示すように、保持体３０２ｃ内のケーブルＬを、基部３０２ａに形成した開口３０２ｄを介して、受信ユニット台３０３に穿設した挿通孔３０３ｅを挿通させることで、電波受信ユニット３００の後面からプログラムタイマー本体１００に配線することもできる。
【００７３】
このように、ケーブルＬは、電波受信ユニット３００の後方からでも、下方からでも引き出すことができるため、電波受信ユニット３００を水平面に置くこともできるし、壁面に取り付けることもできる。
【００７４】
また、電波受信ユニット３００をプログラムタイマー本体１００から分離した場合、プログラムタイマー本体１００の停電補償用電池１５３を電波受信ユニット３００の外部電源として使用して、電波受信ユニット３００単独で標準時刻電波を受信可能な位置を確認できるように、受信ユニット保持部３０２は、停電補償用電池１５３が接続可能なコネクタＣＮ１ｃを備えている。
【００７５】
次に、保持体３０２ｂは、その下面先端側に、円形の孔３１３ａを設けたリング台用ガイド３１３を配置し、孔３１３ａ内には、内周に歯車状の凹凸部３１４ａが形成された円環状のリング台３１４が収納される。
【００７６】
そして、受信ユニット本体部３０１は、上面に四角体状の軸部３０１ａを突設し、軸部３０１ａには円形の接続リング３１５が取り付けられる。接続リング３１５は、その中央に軸部３０１を挿入する四角の軸孔３１５ａが穿設され、軸部３０１ａの外周には係合凹部３０１ｃが形成されており、軸孔３１５ａの内周に設けた係合片３１５ｄが係合凹部３０１ｃに係合して、軸部３１０ａの回動に伴って接続リング３１５も回動する。接続リング３１５の外周には、互いに対向する２箇所に突部３１５ｂが形成され、突部３１５ｂの内側には空隙３１５ｃが形成されており、突部３１５ｂは径方向に弾性を有する。
【００７７】
受信ユニット本体部３０１は、軸部３０１ａに接続リング３１５を取り付けた状態で保持体３０２ｂのリング台３１４に挿入され、受信ユニット本体部３０１を保持体３０２ｂに対して回動させると、突部３１５ｂが凹凸部３１４ａの凹部に弾性的に係合するので、節度ある操作感で回動させることができる。
【００７８】
また、受信ユニット本体部３０１は、下面に円柱状の軸部３０１ｂを突設し、軸部３０１ｂの外周には歯車状の凹凸部３０１ｄが形成され、保持体３０２ｃの先端側に穿設した軸孔３０２ｋに軸部３０１ｂが回動自在に挿入される。
【００７９】
さらに、保持体３０２ｃ内には、軸孔３０２ｋに対向して挿通孔３１６ａを穿設した固定レバー３１６を収納しており、固定レバー３１６の一端は保持体３０２ｃの側面から露出して操作片３１６ｂを構成し、他端は保持体３０２ｃの内面に当接した弾性片３１６ｃを構成して、保持体３０２ｃ内のガイド３０２ｍによってスライド自在に保持されている。
【００８０】
挿通孔３１６ａは、両側方向に長い長孔に形成されており、挿通孔３１６ａの他端には２つの突部３１６ｄが形成されて、軸部３０１ｂの凹凸部３０１ｄの凹部に係合しており、標準時刻電波の受信に最適な角度に受信ユニット本体部３０１のアンテナ方向を固定している。そして、弾性片３１６ｃのばね力に抗って操作片３１６ｂを押し込み、突部３１６ｄと凹凸部３０１ｄとの係合を解除した状態で、受信ユニット本体部３０１を回動させた後、操作片３１６ｃを離せば、再び突部３１６ｄと凹凸部３０１ｄとが係合し、受信ユニット本体部３０１のアンテナ方向が固定される。
【００８１】
図１２（ａ）（ｂ）は接続リング３１５の構成を示し、図１３（ａ）（ｂ）はリング台用ガイド３１３の構成を示す。リング台用ガイド３１３の孔３１３ａ周縁には、孔３１３ａと同心の半円弧状の回転規制溝３１３ｂが形成されており、接続リング３１５の下面に設けた突部３１５ｅが係合する。そして、受信ユニット本体部３０１の回動時には、突部３１５ｅが回転規制溝３１３ｂの端部に係止することで、受信ユニット保持部３０２に対して受信ユニット本体１００が回動する角度を規制して、ケーブルＬの断線を防止することができる。
【００８２】
また、図６に示すように、受信ユニット本体部３０１内に収納される受信ユニット基板３００ａ上には、各表示手段としてのＬＥＤや、バーアンテナ（電波受信手段３３１）等が実装されており、上ケース３０４に穿設した複数の孔３０４ａ、複数の孔３０４ａを覆うカバー３０９を介して各ＬＥＤが外部に露出している。また、受信ユニット基板３００ａはケーブルＭを介してコネクタＣＮ１ｃに接続される。
【００８３】
さらに、図７に示すように、受信ユニット保持部３０２内に電池３５７を収納して、この電池３５７を電源として受信ユニット本体部３０１を動作させれば、受信ユニット保持部３０２を受信ユニット台３０３から取り外した状態で、受信ユニット本体部３０１単独で、標準時刻電波を受信可能な位置を容易に確認することができる。
【００８４】
次に、図４は、設定器２００をプログラムタイマー本体１００に取り付けた状態において、上記（１）通常（時刻表示）モードでの表示部２０１の状態を示しており、表示部２０１には、時刻表示部２０１ａ、曜日表示部２０１ｂに表示される現在時刻（時刻、曜日）の他に、ユニット接続状態表示部２０１ｃ、電波強度表示部２０１ｄ、受信完了表示部２０１ｅが表示される。
【００８５】
受信ユニット接続状態表示部２０１ｃは、電波受信ユニット３００が正しく接続されてプログラムタイマー本体１００から正常に電源が供給され、且つ電波受信ユニット３００から正常に信号が送出されているときに点灯表示する。さらに、誤結線又は未結線等の接続状態が異常なときや、電波受信ユニット３００からの信号が異常なときや、電波受信ユニット３００からの信号がないときには２Ｈｚで点滅する。この受信ユニット接続状態表示部２０１ｃは、図２において、受信ユニット接続状態表示手段２３５ｃに相当し、電波受信制御手段２４６は、電波受信ユニット接続状態判定手段を具備して表示制御を行う。
【００８６】
電波強度表示部２０１ｄは、電波受信ユニット３００からの電界強度及び電波信頼度の各データを基に電波状態を４段階に判定して、その判定結果に応じて３本のバーで表示する。電波状態が最も良い場合はバーが３本点灯し、中レベルの場合はバーが２本点灯し、小レベルの場合はバーが１本点灯し、最も悪い場合は点灯しない。図２において、この電波強度表示部２０１ｄは電波強度表示手段２３５ａに相当しており、電波強度判定手段１２８は、電界強度判定手段３３６で判定した電界強度と、時刻コード形成パルス信頼度判定手段３３４で判定した時刻コード形成パルスの信頼度とに基づいて電波強度を判定し、電波受信制御手段２４６は、電波強度表示手段２３５に電波強度を表示させる。
【００８７】
受信完了表示部２０１ｅは、強制受信操作または自動受信動作時に電波受信ユニット３００で受信した標準時刻電波から標準時刻信号を得ることができ、標準時刻に基づいて時計手段の現在時刻を修正することができたときに点灯し、標準時刻の取得ができず時刻が修正できないときに消灯する。また、強制受信設定スイッチ２０２ｂを押すと、受信完了表示部２０１は点滅する。この受信完了表示部２０１ｅは、図２において、受信完了表示手段２３５ｂに相当し、電波受信制御手段２４６は受信状況判定手段を具備して表示制御を行う。
【００８８】
また、図２における周波数選択手段３３２によって、搬送波周波数が４０ＫＨｚ又は６０ＫＨｚの標準時刻電波のうちいずれの電波を受信するか選択できる。さらに、受信周波数識別信号生成手段３３７によって選択した周波数に応じた信号が生成され、受信周波数表示手段３３５ｂには選択した周波数が表示される。本実施形態では、４０ＫＨｚ受信表示ＬＥＤ３０６ａ、６０ＫＨｚ受信表示ＬＥＤ３０６ｂのうちいずれかのＬＥＤが点灯する。
【００８９】
また、時刻コード形成パルス信頼度判定手段３３４によって判定された時刻コード形成パルスの信頼度は、時刻コード形成パルス信頼度表示手段３３５ｃに表示される。本実施形態では、信頼度が一定値以上であれば図１に示す信頼度表示ＬＥＤ３０８が点灯する。
【００９０】
また、受信ユニット電源形成手段３４０に接続された外部電源の状態は電源状態判定手段３３８で判定され、電源状態表示手段３３５ｄに表示される。本実施形態では、動作可能な電源状態であれば図１に示す電源状態表示ＬＥＤ３１０が点灯する。
【００９１】
図１４は、事務所などにプログラムタイマーを設置し、このプログラムタイマーの制御により工場Ｃ内の制御盤５２０を介した照明５３０の点灯制御（照明用の電源は分電盤５１０から供給される）、あるいは報知音声信号増幅装置４００を介してスピーカ部５００から始業、終業及び休み時間などを知らせるチャイム音、あるいは休み時間などのＢＧＭとして流すメロディーの発生制御を行う一構成例を示している。プログラムタイマー本体１００及び設定器２００、報知音声信号増幅装置４００を事務所Ａ内に設置し、事務所Ａの出入口には人体感知センサ４１０、呼出スイッチ４２０を設定して来客検知を行なう。
【００９２】
また、別事務所Ｂ内には電波受信ユニット３００が配置され、ケーブルＬを介して事務所Ａ内のプログラムタイマー本体１００の端子台ＴＢＡに接続されており、標準時刻電波の標準時刻信号により時刻修正を行う。別事務所Ｂ内のスピーカ部６００からの報知音声出力は、プログラムによる設定時間だけでなく、人体感知センサ４１０、呼出スイッチ４２０の無電圧接点出力による外部割込み制御によってもオン・オフされる。
【００９３】
図１４のシステム説明図では、電波受信ユニット３００を別事務所Ｂに設置しているが、本実施形態の電波受信ユニット３００は、プログラムタイマー本体１００の近傍や建物の屋外の側壁に取り付けできるように防雨構造としている。
【００９４】
次に、図１５〜図１７は、図２のプログラムタイマーの概略構成を具体回路で表したもので、図１５にプログラムタイマー本体１００の具体回路構成、図１６に設定器２００の具体回路構成、図１７に電波受信ユニット３００の具体回路構成を各々示す。
【００９５】
プログラムタイマー本体１００−設定器２００間はコネクタＣＮ６ａ−ＣＮ６ｂ（コネクタ１０９−２０７）を介して接続され、設定器２００−電波受信ユニット３００間は端子台ＴＢ２−ＴＢ３（端子台１４６−３４１）を介して接続される。
【００９６】
プログラムタイマー本体１００は、電源基板１００ａ、制御基板１００ｂ、スイッチ基板１００ｃからなり、電源基板１００ａ−制御基板１００ｂ間はコネクタＣＮ３ａ−ＣＮ３ｂで接続され、制御基板１００ｂ−スイッチ基板１００ｃ間はコネクタＣＮ４ａ−ＣＮ４ｂ、コネクタＣＮ５ａ−ＣＮ５ｂで接続される。
【００９７】
電源基板１００ａは、本体電源回路１５０、報知音声信号増幅回路１６５、リレー駆動回路１６９、受信回路１７１、報知音声信号ジャック１７３を実装し、コネクタＣＮ７、ＣＮ８を介してトランス１５１の両端に接続している。
【００９８】
制御基板１００ｂは、本体信号電源回路１５２、停電補償用電池１５３、本体制御回路１５４、水晶発振回路１５５、テスト周波数発振回路１５７、本体／設定器切換回路１５８、液晶１６０、キーマトリクス１６３、報知音声増幅回路１６４、増幅回路（マイク）１６８、本体Ｉ／Ｏ部１７２、リセット回路１７４を実装し、アナログ時計部１５９が接続している。
【００９９】
スイッチ基板１００ｃは、手動出力切換スイッチ１５９、マイク信号入力ジャック１６７、リレー出力中表示回路１７０を実装している。
【０１００】
設定器２００は、設定器基板２００ａ上に実装された設定器電源回路２５０、停電補償用電池２５１、報知音声録音再生回路２５２、設定器制御回路２５３、本体／設定器切換回路２５４、クロック発振回路２５５，２６７，２７４、リセット回路２５６、テスト周波数発振回路２５７、液晶２６１、記憶回路２６２、操作部２６５、キーマトリクス２６６、増幅回路２６９、キー受付音発振回路２７１、設定器Ｉ／Ｏ部２７２、報知音声制御回路２７３と、録音信号入力ジャック２６８と、コネクタＣＮ７を介して設定器基板２００ａに接続された設定器内蔵スピーカ２７０とを備える。
【０１０１】
電波受信ユニット３００は、受信ユニット電源回路３５０と、電波受信制御回路３５１と、バーアンテナ３５２と、電波受信回路３５３と、通信回路３５４と、リセット回路３５５と、クロック発振回路３５６と、受信周波数表示ＬＥＤ３０６（３０６ａ，３０６ｂ）、電界強度表示ＬＥＤ３０７、時刻コード形成パルス信頼度表示ＬＥＤ３０８とを受信ユニット基板３００ａ上に実装している。
【０１０２】
まず、プログラムタイマー本体１００について説明する。本体電源回路１５０は、商用電源からの電源を後述する各回路に供給するもので、商用電源を降圧するトランス１５１の出力を整流平滑する整流平滑回路及びさらに降圧する降圧回路とで構成され、本体信号電源回路１５２等の各回路、設定器２００の設定器電源回路２５０、電波受信ユニット３００の受信ユニット電源回路３５０にも電源を供給している。
【０１０３】
本体信号電源回路１５２と設定器２００の設定器電源回路２５０には、停電時などにおける非常電源として、ニッケル・水素電池などの停電補償用電池１５３，２５１を接続しているが、この停電補償用電池１５３，２５１の充放電は図示しない充放電切換回路で各々切り換えられる。つまり、充放電切換回路は、商用電源供給時には本体電源回路１５０の出力で停電補償用電池１５３，２５１を充電し、プログラムタイマー本体１００に設定器２００、電波受信ユニット３００が取り付けられた状態で停電した時には、プログラムタイマー本体１００の停電補償用電池１５３を外部電池として設定器電源回路２５０、受信ユニット電源回路３５０に電源供給する。なお、設定器２００においては、プログラムタイマー本体１００の停電補償用電池１５３が消耗すると自器の停電補償用電池２５１から電源供給を行なう。また、設定器２００をプログラムタイマー本体１００から取り外した場合は、充放電回路によって自器の停電補償用電池２５１から電源供給を行なうように動作する。
【０１０４】
さらに、停電補償用電池１５３にはコネクタＣＮ１ａが接続されており、このコネクタＣＮ１ａは、設定器電源回路２５０及び受信ユニット電源回路３５０の各入力に接続されたコネクタＣＮ１ｂ，ＣＮ１ｃに接続可能で、停電補償用電池１５３を、設定器電源回路２５１または受信ユニット電源回路３５０に外部電池として容易に接続できるようにしている。例えば、設定器２００の消費電力が大きくなる再生・録音・編集モード時にはＣＮ１ａ，ＣＮ１ｃを介してプログラムタイマー本体１００の停電補償用電池１５３から設定器電源回路２５０に電源供給する。さらに、電池切れを検出するために本体信号電源回路１５２、設定器電源回路２５０には電池電圧の検出回路を設けており、この電池容量のチェック時にも充放電切換回路を動作させる。
【０１０５】
本体制御回路１５４は、中枢的な機能を果たす１つのマイクロコンピュータにプログラムタイマー本体１００の制御機能と設定器２００のの制御機能との２つの制御機能を内蔵しているため、本体制御機能として使用する場合と設定器制御機能として使用する場合とを切換える本体／設定器切換回路１５８をマイクロコンピュータの周辺構成として備える。さらに、本体制御回路用クロックを発振する水晶発振回路１５５、テスト周波数発振回路１５７、起動時などに本体制御回路１５４をリセットするリセット回路１７４も同様にマイクロコンピュータの周辺構成として備え、本体制御回路１５４はチャイム音などの鳴動制御、外部機器の制御またはアナログ時計部１５９の駆動制御等の信号処理を行う。
【０１０６】
また、本体制御回路１５４は液晶駆動回路１５６を内蔵しており、手動出力切換スイッチ１５９（制御出力手動操作スイッチ１０４ａ，１０４ｂ）の操作または外部割込入力の判定による出力の選択状態や、各プログラムの内容等を液晶１６０に表示する。
【０１０７】
また、本体制御回路１５４には、各スイッチの操作入力や、設定器２００、電波受信ユニット３００、外部機器からの入力信号が与えられる。例えば、手動出力切換スイッチ１５９（制御出力手動操作スイッチ１０４ａ，１０４ｂ）、アナログ時計調整スイッチ１０４ｃの操作入力や、設定器２００の各スイッチからの入力信号や、手動出力切換スイッチ１５９によって外部機器を動作させたり報知音声を出力させるか否かを選択する外部割込出力選択スイッチからの入力信号や、報知音声の鳴動可否及びメロディ番号の選択を行なうメロディ選択スイッチの入力信号や、人体検知センサー４１０や呼び出しボタン４２０等の外部機器の無電圧接点出力に応じた外部割込入力信号や、外部割込入力信号に応じてメロディ番号の選択を行なう外部割込メロディ選択スイッチの入力信号等である。なお、外部割込出力選択スイッチ、メロディ選択スイッチ、外部割込メロディ選択スイッチは、プログラムタイマー本体１００の内部に設けてある。また、スイッチ基板１００ｃからの入力はキーマトリクス１６３を介して入力され、キーマトリクス１６３はマイクロコンピュータの周辺構成として備えている。
【０１０８】
また、本体制御回路１５４は、手動出力切換スイッチ１５９（制御出力手動操作スイッチ１０４ａ，１０４ｂ）、アナログ時計調整スイッチ１０４ｃの操作状態、外部割込入力の判定状態、メロディ選択スイッチ、外部割込出力選択スイッチ、外部割込メロディ選択スイッチの各設定状態を記憶する記憶回路１６２と、本体Ｉ／Ｏ部１７２と設定器Ｉ／Ｏ部２７２とを介して設定器２００との間の通信を行う通信回路１６１とを内蔵している。
【０１０９】
さらの、この通信回路１６１は、電波受信ユニット３００に備えた通信回路３５４との間で通信を行い、時刻コード形成パルス、時刻形成パルス信頼度、電界強度を示す信号を受信する。この通信回路１６１には、電波受信ユニット３００から送られてくる電気信号の電圧を変換する信号電圧変換手段１４２を含んでいる。
【０１１０】
また、プログラムタイマー本体１００には、設定器２００の報知音声録音再生回路２５２からの報知音声信号を増幅して各種のチャイム音あるいはメロディ等の報知音声を増幅する報知音声増幅回路１６４を備え、報知音声増幅回路１６４は報知音声信号増幅回路１６５に接続し、報知音声信号増幅回路１６５はコネクタＣＮ２を介して内蔵スピーカ１６６に接続している。
【０１１１】
さらには、マイクからのマイク音声信号は、マイク信号入力ジャック１６７、増幅回路（マイク）１６８を介して報知音声信号増幅回路１６５に入力しており、報知音声信号増幅回路１６５の出力は、内蔵スピーカ１６６とともに端子台ＴＢ１の外部スピーカ出力端子に接続しており、外部スピーカ出力端子にスピーカ部６００等の外部スピーカを接続して報知音声を出力することができる。
【０１１２】
プログラムタイマー本体１００が回路１，回路２の各外部機器を制御する制御出力を発生するために備えるリレー駆動回路１６９は、２巻線タイプのラッチングリレーからなるリレーと、本体制御回路１５４の制御に応じてリレーの駆動制御を行うリレー駆動制御回路とで構成され、その制御出力は端子台ＴＢ１から出力される。また、本体制御回路１５４には、２巻線タイプのラッチングリレーではなく１巻線タイプのステイブルリレーが使用できるようにステイブルリレー駆動手段を備えている。
【０１１３】
また、手動出力切換スイッチ１５９（制御出力手動操作スイッチ１０４ａ，１０４ｂ）の操作によるリレー駆動回路１６９の状態を表示する発光ダイオード等からなるリレー出力中表示回路１７０を備える。
【０１１４】
また、駆動源としてモーターを備えたアナログ時計１５９を駆動するアナログ時計駆動回路１７１は、モーターを駆動制御するモーター駆動回路からなる。
【０１１５】
なお、本体電源回路１５０と本体信号電源回路１５２とにより図２に示す本体電源形成手段１４７を構成し、液晶駆動回路１５６と液晶１６０により出力選択・表示手段１３２を構成し、記憶回路１６２により出力判定状態記憶手段１３４を構成し、本体制御回路１５４により時刻コード化手段１２６、時刻データ生成手段１２７、電波強度判定手段１２８、電波受信制御手段１２９、スイッチ操作判定手段１３０、外部割込入力判定手段１３１、出力選択・表示手段１３２、出力判定手段１３３、出力判定状態記憶手段１３４、時計手段１３５、出力制御手段１３６、信号電圧変換手段１４２、同期出力発生手段１４４、時刻修正手段１４８、電波受信動作制御状態記憶手段１４９を構成し、報知音声増幅回路１６４、報知音声信号増幅回路１６５、内蔵スピーカ１６６により報知音声を発生する報知音声出力手段１３９を構成し、リレー駆動回路１６９により制御出力手段１３７、制御出力手段１３８を構成し、リレー出力中表示回路１７０により手動スイッチ操作表示手段１４１を構成し、アナログ時計駆動回路１７１によりアナログ時計手段１４０を構成し、コネクタＣＮ３ａによりコネクタ１４５を構成し、端子台ＴＢ２により端子台１４６を構成している。
【０１１６】
次に、設定器２００について説明する。設定器制御回路２５３は、中枢的な機能を果たす１つのマイクロコンピュータにプログラムタイマー本体１００の制御機能と設定器２００の制御機能との２つの制御機能を内蔵しているため本体制御機能として使用する場合と設定器制御機能として使用する場合とを切換える本体／設定器切換回路２５４をマイクロコンピュータの周辺構成として備える。さらに、クロック発振回路２５５、起動時などに設定器制御回路２５３をリセットするリセット回路２５６、テスト周波数発振回路２５７も同様にマイクロコンピュータの周辺構成として備える。
【０１１７】
さらに、設定器制御回路２５３は、操作部２６５（スイッチ２０２、モード切換スイッチ２０４）の操作状態を記憶する記憶回路２５８を内蔵するとともに、本体Ｉ／Ｏ部１７２と設定器Ｉ／Ｏ部２７２とを介してプログラムタイマー本体１００との間の通信を行う通信回路２５９を内蔵している。
【０１１８】
また、設定器制御回路２５３の入力部としてキーマトリックス２６６を備え、このキーマトリックス２６６は操作部２６５に接続される。
【０１１９】
さらに、設定器２００は、報知音声記憶部２６３に記憶したチャイム音やメロディやアナウンス等の複数の報知音声信号の再生、録音、編集や、報知音声信号間の出力レベルを調整するために記憶回路２６２に記憶した報知音声信号を呼び出して報知音声録音再生回路２５２へ出力する制御等の中枢的な機能を果たすマイクロコンピューターからなる報知音声制御回路２７３を備えており、その周辺回路としてクロック発振回路２６７，２７４と上述のリセット回路２５６とを設けている。
【０１２０】
記憶回路２６２は、複数の報知音声信号を記憶する報知音声記憶部２６３と、操作部２６５によって設定されたプログラムを記憶するプログラム記憶部２６４とから構成される。
【０１２１】
また、報知音声を外部機器から録音する場合は、設定器２００の録音信号入力ジャック２６８から入力された報知音声信号が増幅回路２６９を介して報知音声録音再生回路２５２に入力され、報知音声録音再生回路２５２から報知音声制御回路２７３を介して報知音声記憶部２６３に記憶されることで行なわれる。
【０１２２】
また、報知音声の再生時には、報知音声記憶部２６３に記憶した報知音声信号を呼び出して、報知音声制御回路２７３、報知音声録音再生回路２５２を介して設定器内蔵スピーカ２７０から報知音声を出力する。
【０１２３】
また、キー受付音発振回路２７１を備えて、操作部２６５の操作に伴うキーマトリックス２６６動作時に受付音をスピーカー２７０から出力し、誤操作した場合には警報音をスピーカー２７０から出力するようになっている。
【０１２４】
なお、設定器制御回路２５３により図２に示すプログラム設定手段２３０ａ，２３０ｂ、時刻修正手段２３３、表示制御手段２３８、時計設定手段２３９、時計手段２４０、報知音声制御手段２４２、プログラム判断手段２４５、電波受信制御手段２４６、同期入力判定手段２４９、同期スタート信号発生手段２３６、コネクタ接続判定手段２３７、電波受信制御手段２４６を構成し、ＬＣＤ駆動回路２６０、液晶ディスプレイ（ＬＣＤ）２６１により表示手段２３５を構成し、記憶回路２６２によりプログラム記憶手段２３４，報知音声信号記憶手段２４１を構成し、スピーカ２７０で報知音声確認手段２４４を構成している。
【０１２５】
次に、電波受信ユニット３００について説明する。電波受信制御回路３５１は、中枢的な機能を果たす１つのマイクロコンピュータで構成され、バーアンテナ３５２が電波受信回路３５３を介して接続されるとともに、通信回路３５４を介してプログラムタイマー本体１００に接続され、さらにはクロック発振回路３５６や起動時などに電波受信制御回路３５１をリセットするリセット回路３５５などを電波受信制御回路３５１の周辺回路として備えている。
【０１２６】
また、電波受信制御回路３５１はＬＥＤ駆動回路を備えており、受信周波数表示ＬＥＤ３０６、電界強度表示ＬＥＤ３０７、時刻コード形成パルス信頼度表示ＬＥＤ３０８、電源状態表示ＬＥＤ３１０などのＬＥＤを点灯又は消灯させている。
【０１２７】
さらに、受信ユニット電源回路３５０は、電波受信ユニット３００の各回路に電源を供給するもので、プログラムタイマー本体１００に電源が通電されて、端子台ＴＢ２−ＴＢ３間にケーブルＬを接続してプログラムタイマー本体１００と電波受信ユニット３００とが電気的に接続されているときは、プログラムタイマー本体１００の本体電源回路１５０から受信ユニット電源回路３５０に電源が供給されて、電波受信ユニット３００の各回路が動作する。
【０１２８】
また、受信ユニット電源回路３５０には、プログラムタイマー本体１００から電波受信ユニット３００を離しても使用できるように、外部電源が接続できるコネクタＣＮ１ｃを備えている。さらに、この外部電源としてプログラムタイマー本体１００の停電補償用電池１５３が使用できるように電波受信ユニット３００のコネクタＣＮ１ｃとプログラムタイマー本体１００のコネクタＣＮ１ａとは互いに接続可能に構成される。
【０１２９】
また、通信回路３５４は、プログラムタイマー本体１００に備えた通信回路１６１との間で、時刻コード形成パルス、時刻形成パルス信頼度、電界強度を示す各信号を伝送する。この通信回路３５４には、電波受信制御回路３５１から送られてくる電気信号の電圧を変換する信号電圧変換手段３３９を含んでいる。
【０１３０】
なお、電波受信制御回路３５１により図２における周波数選択手段３３２、時刻コード形成パルス信頼度判定手段３３４、電界強度判定手段３３６、受信周波数識別信号生成手段３３７、電源状態判定手段３３８を構成し、受信周波数表示ＬＥＤ３０６、電界強度表示ＬＥＤ３０７、時刻コード形成パルス信頼度表示ＬＥＤ３０８、電源状態表示ＬＥＤ３１０により電界強度表示手段３３５ａ、受信周波数表示手段３３５ｂ、時刻コード形成パルス信頼度表示手段３３５ｃ、電源状態表示手段３３５ｄを構成し、電波受信回路３５３、バーアンテナ３５２により電波受信手段３３１、時刻コード形成パルス生成手段３３３を構成し、電波受信ユニット電源回路３５０により電波受信ユニット電源形成手段３４０を構成する。
【図面の簡単な説明】
【０１３１】
【図１】本発明の実施形態のプログラムタイマーを示す斜視図である。
【図２】同上の概略構成を示す図である。
【図３】同上のプログラムタイマー本体と設定器とを示す分解斜視図である。
【図４】同上の設定器を示す正面図である。
【図５】同上の受信ユニット台を示す平面図である。
【図６】同上の電波受信ユニットを示す分解斜視図である。
【図７】同上の電波受信ユニットを側面からみた一部破段した断面図である。
【図８】同上の電波受信ユニットを下面からみた一部破段した断面図である。
【図９】同上の電波受信ユニットを上面からみた一部破段した断面図である。
【図１０】同上の電波受信ユニットを組立時に斜め後方からみた図である。
【図１１】同上の電波受信ユニットを斜め後方からみた図である。
【図１２】（ａ）（ｂ）同上の接続リングの構成を示す図である。
【図１３】（ａ）（ｂ）同上のリング台用ガイドの構成を示す図である。
【図１４】同上のプログラムタイマーを用いた制御の一構成例を示す図である。
【図１５】同上のプログラムタイマー本体の具体回路構成を示す図である。
【図１６】同上の設定器の具体回路構成を示す図である。
【図１７】同上の電波受信ユニットの具体回路構成を示す図である。
【符号の説明】
【０１３２】
１００  プログラムタイマー本体
２００  設定器
３００  電波受信ユニット
３０１  受信ユニット本体部
３０２  受信ユニット保持部
３０３  受信ユニット台
Ｌ  ケーブル
【図１】
2006329957.tif 000003
【図２】
2006329957.tif 000004
【図３】
2006329957.tif 000005
【図４】
2006329957.tif 000006
【図５】
2006329957.tif 000007
【図６】
2006329957.tif 000008
【図７】
2006329957.tif 000009
【図８】
2006329957.tif 000010
【図９】
2006329957.tif 000011
【図１０】
2006329957.tif 000012
【図１１】
2006329957.tif 000013
【図１２】
2006329957.tif 000014
【図１３】
2006329957.tif 000015
【図１４】
2006329957.tif 000016
【図１５】
2006329957.tif 000017
【図１６】
2006329957.tif 000018
【図１７】
2006329957.tif 000019